(57)【特許請求の範囲】
【請求項１】
端子を有する電気部品が収容されるソケット本体と、該ソケット本体に配設され、前記端子に接触されるコンタクトピンと、前記ソケット本体に回動自在に設けられ、閉状態で収容された前記電気部品を押圧するカバー部材とを有する電気部品用ソケットにおいて、
前記カバー部材は、開方向に付勢する開方向付勢手段と、閉方向に付勢する閉方向付勢手段とを有し、
該開方向付勢手段と該閉方向付勢手段とは、同一の回転軸に挿通されたトーションスプリングであり、
前記開方向付勢手段と前記閉方向付勢手段とは、前記カバー部材が前記開方向付勢手段の付勢力により所定の開き角度まで開いて行き、該所定の開き角度で、前記開方向付勢手段の付勢力と前記閉方向付勢手段の付勢力とが釣り合うように設定されており、且つ、
前記カバー部材は、閉状態から開状態初期の段階では、前記開方向付勢手段の開く方向の付勢力のみで開いて行き、この開いて行く途中で、前記閉方向付勢手段の閉じる方向の付勢力が作用して、前記カバー部材が所定の開き角度まで来ると、前記開方向付勢手段の付勢力と前記閉方向付勢手段の付勢力とが釣り合い、前記カバー部材が前記所定の開き角度で停止するように設定されていることを特徴とする電気部品用ソケット。
【発明の詳細な説明】
【技術分野】
【０００１】
この発明は、半導体装置（以下「ＩＣパッケージ」という）等の電気部品を着脱自在に収容する電気部品用ソケットに関するものである。
【背景技術】
【０００２】
従来からこの種の「電気部品用ソケット」としては、「電気部品」であるＩＣパッケージを着脱自在に保持するＩＣソケットがある。
【０００３】
このＩＣパッケージは、略方形状のパッケージ本体から側方に向けて端子が突出している。
【０００４】
一方、ＩＣソケットは、ソケット本体に、ＩＣパッケージを収容する収容面部が形成されると共に、このＩＣパッケージの端子に接触されるコンタクトピンが複数配設され、更に、このソケット本体に、カバー部材が枢支部により、回動自在に設けられている。
【０００５】
このカバー部材は、枢支部により、ソケット本体に回動自在に設けられ、ばね部材により、開く方向に付勢されている。そして、このカバー部材を閉じた状態では、このカバー部材に設けられた押圧部により、収容されたＩＣパッケージが押圧されるようになっていると共に、ラッチ機構により、ソケット本体に係合されて、カバー部材の閉状態が維持されるようになっている。
【０００６】
このようなＩＣソケットにあっては、ラッチ機構を解除すると、カバー部材がばね部材の付勢力により、開いて行くが、カバー部材が開ききったところで、ソケット本体側に当たって停止するようになっているため、その当たるときの衝撃により、収容されているＩＣパッケージが跳ね上がり、斜めに引っ掛かった状態で止まる場合があり、かかる場合には、自動機でＩＣパッケージをうまく吸着できない虞があった。
【０００７】
この対策として、特許文献１に記載されたもののように、カバー部材を開くときに緩やかに衝撃無く、良好に開くように制御することができる制動機構を設けたものがある。
【０００８】
この制動機構は、カバー部材の枢支部に設けられ、枢動軸心に対して偏心した渦巻部材を有しており、この渦巻部材が、ソケット本体の枢支部の固定円筒部に摩擦係合するようになっている。
【０００９】
このカバー部材を開いて行くときに、渦巻部材の弾性変形量が徐々に大きくなり、摩擦係合力が徐々に大きくなることから、カバー部材の開き動作が制動され、カバー部材は緩やかに衝撃無く、良好に開くように制御される。
【先行技術文献】
【特許文献】
【００１０】
【特許文献１】特開２００３−２５７５７６号公報。
【発明の概要】
【発明が解決しようとする課題】
【００１１】
しかしながら、このような従来のものにあっては、渦巻部材が弾性変形され、摩擦係合力が徐々に大きくなることにより、カバー部材の開き動作が制動されるようになっているため、この制動力を制御するのは難しく、所定の開き角度で、カバー部材の開きを停止させるのは、構造的に難しいものであると共に、このような渦巻部材を有する制動機構は構造が複雑であり、高価なものとなっていた。
【００１２】
そこで、この発明は、簡単な構造で、安価に、衝撃が生じることなく、任意の開き角度までカバー部材を緩やかに開かせることができる電気部品用ソケットを提供することを課題としている。
【課題を解決するための手段】
【００１３】
かかる課題を達成するために、請求項１に記載の発明は、端子を有する電気部品が収容されるソケット本体と、該ソケット本体に配設され、前記端子に接触されるコンタクトピンと、前記ソケット本体に回動自在に設けられ、閉状態で収容された前記電気部品を押圧するカバー部材とを有する電気部品用ソケットにおいて、前記カバー部材は、開方向に付勢する開方向付勢手段と、閉方向に付勢する閉方向付勢手段とを有し、該開方向付勢手段と該閉方向付勢手段とは、同一の回転軸に挿通されたトーションスプリングであり、且つ、前記開方向付勢手段と前記閉方向付勢手段とは、前記カバー部材が前記開方向付勢手段の付勢力により所定の開き角度まで開いて行き、該所定の開き角度で、前記開方向付勢手段の付勢力と前記閉方向付勢手段の付勢力とが釣り合うように設定されており、且つ、前記カバー部材は、閉状態から開状態初期の段階では、前記開方向付勢手段の開く方向の付勢力のみで開いて行き、この開いて行く途中で、前記閉方向付勢手段の閉じる方向の付勢力が作用して、前記カバー部材が所定の開き角度まで来ると、前記開方向付勢手段の付勢力と前記閉方向付勢手段の付勢力とが釣り合い、前記カバー部材が前記所定の開き角度で停止するように設定されていることを特徴とする。
【発明の効果】
【００１６】
請求項１に記載の発明によれば、開方向付勢手段と閉方向付勢手段とを設けることにより、カバー部材の開時に衝撃が生じることなく、任意の開き角度までカバー部材を緩やかに開かせることができる。しかも、開方向付勢手段と閉方向付勢手段との付勢力を所定の値に設定することにより、任意の開き角度で容易に精度良く、カバー部材の開き動作を停止させることができる。
【００１７】
また、閉方向付勢手段を設けるだけの簡単な構造の追加で、安価に上記のような作用を得ることができる。
【００１８】
更に、請求項１に記載の発明によれば、上記効果に加え、カバー部材は、閉状態から開状態初期の段階では、開方向付勢手段の開く方向の付勢力のみで開いて行き、この開いて行く途中で、閉方向付勢手段の閉じる方向の付勢力が作用するようにしているため、閉状態から開状態初期の段階では、閉方向付勢手段の閉じる方向の付勢力が作用しないことから、開方向付勢手段の開く方向の付勢力のみの力により、カバー部材の開き速度を速くでき、電気部品の検査終了時から取出しまでの時間を短くできる。
【００１９】
加えて、請求項１に記載の発明によれば、上記効果に加え、開方向付勢手段と、閉方向付勢手段とをトーションスプリングで構成することにより、より構造の簡単なもので上記効果を得ることができる。
【図面の簡単な説明】
【００２０】
【図１】この発明の実施の形態に係るＩＣソケットの半分を断面した側面図である。
【図２】同実施の形態に係る図１の右側面図である。
【図３】同実施の形態に係る開方向トーションスプリングを示すＩＣソケットのカバー部材の閉状態の側面図である。
【図４】同実施の形態に係る閉方向トーションスプリングを示すＩＣソケットのカバー部材の閉状態の側面図である。
【図５】同実施の形態に係る開方向トーションスプリングを示すＩＣソケットのカバー部材の開状態の側面図である。
【図６】同実施の形態に係る閉方向トーションスプリングを示すＩＣソケットのカバー部材の開状態の側面図である。
【図７】同実施の形態に係る開方向トーションスプリング及び閉方向トーションスプリングのそれぞれの、カバー部材開き角度と荷重（付勢力）との関係を示すグラフ図である。
【図８】同実施の形態に係る開方向トーションスプリングと閉方向トーションスプリングとを合成した状態の、カバー部材開き角度と荷重（付勢力）との関係を示すグラフ図である。
【発明を実施するための形態】
【００２１】
以下、この発明の実施の形態について説明する。
【００２２】
図１乃至図８には、この発明の実施の形態を示す。
【００２３】
まず構成を説明すると、図中符号１１は、「電気部品用ソケット」としての、いわゆるクラムシェルタイプのＩＣソケットで、このＩＣソケット１１は、「電気部品」であるＩＣパッケージ１２の性能試験を行うために、このＩＣパッケージ１２の「端子」としての球状端子と、測定器（テスター）の配線基板（図示省略）との電気的接続を図るものである。
【００２４】
このＩＣパッケージ１２は、「電気部品本体」としての方形状のパッケージ本体の下面に多数の球状端子が突出して形成され、これら球状端子がマトリックス状に配列されている。
【００２５】
一方、ＩＣソケット１１は、大略すると、配線基板上に装着されるソケット本体１３を有し、このソケット本体１３には、コンタクトモジュール２３が係止されている。このコンタクトモジュール２３には、球状端子及び配線基板に接触される多数のコンタクトピン１４がマトリックス状に保持されている。
【００２６】
そのコンタクトピン１４は、詳細は図示していないが、球状端子に接触される導電性金属材料からなる上側接触部材と、配線基板に接触される導電性金属材料からなる下側接触部材とが伸縮自在に組み合わされ、内部に配設されたコイルスプリングにより、伸長する方向に付勢されている。
【００２７】
さらに、ソケット本体１３には、図１等に示すように、回動軸１５を介してカバー部材１６が回動自在に設けられている。このカバー部材１６には、ＩＣパッケージ１２を押圧する押圧部材１７がスプリング１８を介して設けられると共に、このカバー部材１６の、回動軸１５側と反対側の端部には、フックレバー１９が軸２０を介して回動自在に設けられている。
【００２８】
このフックレバー１９には、ソケット本体１３に形成された被係止部１３ａに係止されるフック爪１９ａが形成されると共に、このフックレバー１９を回動させる操作片１９ｂが形成されている。このフックレバー１９は、図示省略のスプリングにより、図１中反時計回りに付勢され、カバー部材１６を閉じることにより、フック爪１９ａが被係止部１３ａを乗り越えて係止されるようになっている。
【００２９】
また、このカバー部材１６には、図２及び図３等に示すように開方向に付勢する「開方向付勢手段」である開方向トーションスプリング２１と、図２及び図４等に示すように閉方向に付勢する「閉方向付勢手段」である閉方向トーションスプリング２２とを有している。
【００３０】
これらトーションスプリング２１，２２は、回動軸１５の周囲に、図２に示すように並んで設けられ、図３及び図４に示すように、一端部２１ａ，２２ａがソケット本体１３に係止され、他端部２１ｂ，２２ｂがカバー部材１６に係止されている。
【００３１】
これらトーションスプリング２１，２２と、カバー部材１６の開き角度との関係は、図７に示すように設定されている。すなわち、開方向トーションスプリング２１は、カバー部材１６の開き角度が０°の時、開く方向の荷重が１２３ｇｆで、カバー部材１６が開くのに従って低下し、開き角度が１００°の時、開く方向の荷重が２５ｇｆに設定されている。一方、閉方向トーションスプリング２２は、カバー部材１６の開き角度が０°から３０°程度まで、閉じる方向の荷重が０ｇｆで、カバー部材１６が開くのに従って閉じる方向の力（負の力）が大きくなり、開き角度が１００°の時、閉じる方向の荷重が−２５ｇｆとなるように設定されている。
【００３２】
このように開き角度が１００°（所定の開き角度）の時に、開方向トーションスプリング２１の開く方向の力（２５ｇｆ）と、閉方向トーションスプリング２２の閉じる方向の力（−２５ｇｆ）とが釣り合うように設定されている。
【００３３】
このように各トーションスプリング２１，２２の付勢力が設定されることにより、カバー部材１６は、閉状態から開状態初期の段階（開き角度３０°まで）では、開方向トーションスプリング２１の開く方向の付勢力のみで開いて行き、この開いて行く途中（開き角度３０°）で、閉方向トーションスプリング２２の閉じる方向の付勢力が作用して、カバー部材１６が所定の開き角度（開き角度１００°）まで来ると、開方向トーションスプリング２１の付勢力と閉方向トーションスプリング２２の付勢力とが釣り合い、カバー部材１６が所定の開き角度（開き角度１００°）で停止するように設定されている。両トーションスプリング２１，２２の和は、図８に示すようになる。
【００３４】
次に、かかる構成のＩＣソケット１１の使用方法について説明する。
【００３５】
ＩＣパッケージ１２をソケット本体１３上に収容し、カバー部材１６を閉じた状態で、ＩＣパッケージ１２の球状端子がコンタクトピン１４に接触し、このコンタクトピン１４を介してＩＣパッケージ１２と配線基板とが電気的に接続される。この状態で、ＩＣパッケージ１２の検査が行われる。
【００３６】
その後、ＩＣパッケージ１２を取り出すには、カバー部材１６を開く。この場合には、フックレバー１９の操作片１９ｂを操作して、フック爪１９ａをソケット本体１３の被係止片１３ａから外す。
【００３７】
すると、カバー部材１６は、閉状態から開状態初期の段階（開き角度３０°まで）では、開方向トーションスプリング２１の開く方向の付勢力のみで開いて行く。
【００３８】
そして、この開いて行く途中（開き角度３０°）から、閉方向トーションスプリング２２の閉じる方向の付勢力が作用して、カバー部材１６の開く方向の力が弱められて行く。
【００３９】
その後、カバー部材１６が所定の開き角度（開き角度１００°）まで来ると、開方向トーションスプリング２１の付勢力と閉方向トーションスプリング２２の付勢力とが釣り合い、カバー部材１６が所定の開き角度（開き角度１００°）で停止することとなる。
【００４０】
この状態で、ＩＣパッケージ１２の取り出しが可能となる。
【００４１】
このように、開方向トーションスプリング２１と閉方向トーションスプリング２２とを設けることにより、カバー部材１６の開時に衝撃が生じることなく、任意の開き角度（１００°）までカバー部材１６を緩やかに開かせることができる。しかも、開方向トーションスプリング２１と閉方向トーションスプリング２２との付勢力を所定の値に設定することにより、任意の開き角度で容易に精度良く、カバー部材１６の開き動作を停止させることができる。
【００４２】
また、カバー部材１６は、閉状態から開状態初期の段階では、開方向トーションスプリング２１の開く方向の付勢力のみで開いて行き、この開いて行く途中で、閉方向トーションスプリング２２の閉じる方向の付勢力が作用するようにしているため、閉状態から開状態初期の段階では、閉方向トーションスプリング２２の閉じる方向の付勢力が作用しないことから、開方向トーションスプリング２１の開く方向の付勢力のみの力により、カバー部材１６の開き速度を速くでき、ＩＣパッケージ１２の検査終了時から取出しまでの時間を短くできる。
【００４３】
さらに、閉方向トーションスプリング２２を設けるだけの簡単な構造の追加で、安価に上記のような作用を得ることができる。
【００４４】
なお、上記各実施の形態では、「電気部品用ソケット」としてＩＣソケット１１に、この発明を適用したが、これに限らず、他の装置にも適用できることは勿論である。
【符号の説明】
【００４５】
11  ＩＣソケット（電気部品用ソケット）
12  ＩＣパッケージ（電気部品）
13  ソケット本体
14  コンタクトピン
15  回動軸
16  カバー部材
17  押圧部材
21  開方向トーションスプリング（開方向付勢手段）
22  閉方向トーションスプリング（閉方向付勢手段）
21a,22a 一端部
21b,22b 他端部
23  コンタクトモジュール
【図１】
0005547533.tif 000002
【図２】
0005547533.tif 000003
【図３】
0005547533.tif 000004
【図４】
0005547533.tif 000005
【図５】
0005547533.tif 000006
【図６】
0005547533.tif 000007
【図７】
0005547533.tif 000008
【図８】
0005547533.tif 000009